(57)【要約】【課題】建築物等に応じて、深みのある多様なデザインを選択可能な合成樹脂製雨樋を提供する。【解決手段】所望の雨樋の形状に成形された合成樹脂製素材を基材１とし、上記基材１表面に、第１層として、全体が所望の色に着色された合成樹脂製のベース着色被膜層２を設け、上記ベース着色被膜層２の表面に、第２層として、所望の文字、模様、図柄等が描かれた合成樹脂製の柄形成被膜層３を更に設け、上記柄形成被膜層３の表面に、第３層として、耐久性及び耐候性を少なくとも備えた透明又は半透明な保護被膜層４を順次積層形成して成る。【選択図】図１
2005256372.tif 000002
【特許請求の範囲】
【請求項１】
所望の雨樋の形状に成形された合成樹脂製素材を基材とし、
上記基材表面に、第１層として、全体が所望の色に着色された合成樹脂製のベース着色被膜層を設け、
上記ベース着色被膜層の表面に、第２層として、所望の文字、模様、図柄等が描かれた合成樹脂製の柄形成被膜層を更に設け、
上記柄形成被膜層の表面に、第３層として、耐久性及び耐候性を少なくとも備えた透明又は半透明な保護被膜層を順次積層形成して成ることを特徴とする合成樹脂製雨樋。
【請求項２】
請求項１において、
上記ベース着色被膜層、柄形成被膜層、保護被膜層は、塗装膜或いは薄膜のシート状であることを特徴とする合成樹脂製雨樋。
【発明の詳細な説明】
【技術分野】
【０００１】
本発明は、雨水を屋根の軒先等から集水して地上に導くための合成樹脂製雨樋に関する。
【背景技術】
【０００２】
従来の合成樹脂製雨樋は、合成樹脂材料を押出成形等によって所望の雨樋形状に成形して成るのが一般的であった。
【０００３】
ここで、合成樹脂製雨樋とは、屋根の軒先等に設置して雨水を集水するための一般的な雨樋に限られず、上記雨水を集水するための全ての合成樹脂製品、例えば、軒樋、竪樋、集水器、止水器、継手などの総称を意味している。
【０００４】
また、近年では、雨樋表面を保護するため、合成樹脂製の管状基材の外周面に、耐候性塩化ビニル樹脂からなる被覆層を同時押出成形された雨樋も出願されている（例えば、特許文献１参照）。
【特許文献１】特開２００１−１７３１７３号
【発明の開示】
【発明が解決しようとする課題】
【０００５】
ところで、建築物の高級化、メンテナンスフリー化、ファッション化等に伴い、これら建築物に使用される合成樹脂製雨樋においても、上記建築物に応じた高級化、デザイン化が要望されている。
【０００６】
しかし、従来の合成樹脂製雨樋では、その雨樋表面の全体が、合成樹脂材料の一色に仕上げられ、しかも無地であるため、多様化される上記建築物に応じての選択肢が限られてしまい、デザイン性に乏しいという問題があった。
【０００７】
本発明は、上記従来の問題に鑑みてなされたものであって、建築物等に応じて、深みのある多様なデザインを選択可能な合成樹脂製雨樋を提供する。
【課題を解決するための手段】
【０００８】
上記目的を達成するため、
請求項１に係る合成樹脂製雨樋は、所望の雨樋の形状に成形された合成樹脂製素材を基材とし、上記基材表面に、第１層として、全体が所望の色に着色された合成樹脂製のベース着色被膜層を設け、上記ベース着色被膜層の表面に、第２層として、所望の文字、模様、図柄等が描かれた合成樹脂製の柄形成被膜層を更に設け、上記柄形成被膜層の表面に、第３層として、耐久性及び耐候性を少なくとも備えた透明又は半透明な保護被膜層を順次積層形成して成ることを特徴とする。
【０００９】
このものでは、基材表面に、第１層としての合成樹脂製のベース着色被膜層を設けることで、上記基材が成形される合成樹脂材料の色に限定されることなく、合成樹脂製雨樋の基材を所望の色に形成できる。
【００１０】
又、このベース着色被膜層の表面に、第２層としての合成樹脂製の柄形成被膜層を更に設けることで、上記ベース着色被膜層の表面に、更に所望の文字、模様、図柄等が描かれた合成樹脂製雨樋を形成できる。
【００１１】
更に、上記柄形成被膜層の表面に、第３層として、透明又は半透明な保護被膜層が積層されるので、これらベース着色被膜層及び柄形成被膜層の有する色、柄等を雨樋表面に表現できるうえ、雨樋表面をも保護することができる。
【００１２】
請求項２に係る合成樹脂製雨樋は、請求項１において、上記ベース着色被膜層、柄形成被膜層、保護被膜層は、塗装膜或いは薄膜のシート状であることを特徴とする。
【００１３】
このものでは、ベース着色被膜層、柄形成被膜層、保護被膜層が塗装膜或いは薄膜のシート状で形成されており、塗装膜の場合には、多様化される個々のデザインに対して容易に対応でき、また、シート状の場合には、大量の同一デザインに対して均一なものを容易に対応できる。
【発明の効果】
【００１４】
本発明によれば、次のような効果がある。
請求項１に係る合成樹脂製雨樋によれば、基材表面に、第１層としての合成樹脂製のベース着色被膜層を設けることで、上記基材が成形される合成樹脂材料の色に限定されることなく、合成樹脂製雨樋の基材を所望の色に形成できる。
【００１５】
又、このベース着色被膜層の表面に、第２層としての合成樹脂製の柄形成被膜層を更に設けることで、上記ベース着色被膜層の表面に、更に所望の文字、模様、図柄等が描かれた合成樹脂製雨樋を形成でき、且つ、文字、模様、図形等が同一であってもベース着色被膜層の色を変えて組み合わせることによって、色調の異なる文字、模様、図形等を有する合成樹脂製雨樋を得ることができる。
【００１６】
更に、上記柄形成被膜層の表面に、第３層として、透明又は半透明な保護被膜層が積層されるので、これらベース着色被膜層及び柄形成被膜層の有する色、柄等を雨樋表面に表現できるうえ、雨樋表面をも保護することができ、且つ、保護被膜層を通して内部の柄形成被膜層及びベース着色被膜層が浮き上がって透視され、深みのある色、柄等を有する多様なデザインの合成樹脂製雨樋を得ることができる。
【００１７】
このように、３重の被膜層を基材表面に形成することにより、合成樹脂製雨樋の伸縮性に対応できる耐久性、対候性のある塗装を得ることができる。
【００１８】
請求項２に係る合成樹脂製雨樋によれば、ベース着色被膜層、柄形成被膜層、保護被膜層が塗装膜或いは薄膜のシート状で形成されており、塗装膜の場合には、多様化される個々のデザインに対して容易に対応でき、また、シート状の場合には、大量の同一デザインに対して均一なものを容易に対応できる。
【発明を実施するための最良の形態】
【００１９】
以下、本発明に係る合成樹脂製雨樋Ａを図面とともに説明する。
【実施例１】
【００２０】
図１は、本発明に係る合成樹脂製雨樋Ａの一実施例が部分断面された状態の斜視図であり、図２は、図１の要部を拡大した状態の拡大断面図である。
【００２１】
この合成樹脂製雨樋Ａは、塩化ビニル樹脂等よりなる合成樹脂製素材を基材１とし、所望の雨樋形状に成形している。
【００２２】
ここでは、屋根の軒先等に設置して雨水を集水するための一般的な軒樋を例示しているが、上記雨水を集水するための全ての合成樹脂製品、例えば、竪樋、集水器、止水器、継手などであっても同様である。
【００２３】
次いで、基材１表面に、第１層として、全体が所望の色に着色された合成樹脂製のベース着色被膜層２を塗装等によって形成する。
【００２４】
ベース着色被膜層２の厚みは、５μ〜３０μ程度で形成することができ、好ましくは、２０μの厚みで形成するのが、合成樹脂製雨樋の伸縮性に対して適している。
【００２５】
ここで、ベース着色被膜層２を形成する合成樹脂としては、例えば、アクリル樹脂、ウレタン樹脂、フッ素樹脂などが使用され、金属製品の５〜６倍もの伸縮性がある合成樹脂製素材よりなる基材１の伸縮性に対応できる被膜層を形成するものであれば良い。
【００２６】
また、塗装等とは、吹付け、ロールコーター、フローコーター、浸漬等の既存の塗装方法によって行なわれる総称である。
【００２７】
また、被膜形成手段として、上記塗装等による塗装膜を形成するだけでなく、例えば、着色されたシート状の薄膜を、基材１の表面に固着させて形成することもできる。
【００２８】
このように合成樹脂製のベース着色被膜層２を基材１の表面に設けることで、基材１が成形される合成樹脂材料の色に限定されることなく、合成樹脂製雨樋Ａのベース色を所望の色に形成できる。
【００２９】
なお、基材１が成形される合成樹脂材料の色と、合成樹脂製雨樋Ａに所望されるベース色とが同一色である場合には、基材１表面を、このベース着色被膜層２としても良い。
【００３０】
次いで、ベース着色被膜層２の表面に、第２層として、所望の文字、模様、図柄等が描かれた合成樹脂製の柄形成被膜層３を、上記同様、塗装等によって更に形成する。
【００３１】
柄形成被膜層３の厚みは、３μ〜１０μ程度で形成することができ、好ましくは、５μの厚みで形成するのが合成樹脂製雨樋の伸縮性に対して適している。
なお、塗装等や被膜形成手段は、上記同様であるため、その説明は省略する。
【００３２】
また、柄形成被膜層３を形成する合成樹脂としては、上記ベース着色被膜層２と同様の合成樹脂を使用すれば良い。
【００３３】
図１では、ベース着色被膜層２を無地の茶色とし、その表面に、木目柄の柄形成被膜層３を形成したものを例示している。そのため、合成樹脂製雨樋Ａが、まるで木で作られたように形成することができ、従来にはなかった新たなデザインの合成樹脂製雨樋Ａを提供できる。
【００３４】
勿論、例示した以外の組み合わせも多様であり、例えば、ベース着色被膜層２を無地の白色系、黒色系とし、その表面に、石目柄の柄形成被膜層３を形成すれば、合成樹脂製雨樋Ａが、まるで大理石などの石材で作られたように形成することもできる。
【００３５】
なお、ベース着色被膜層２及び例柄形成被膜層３は、デザイン性が必要とされる合成樹脂製雨樋Ａの外被部分だけに形成することも勿論可能である。
【００３６】
そして、柄形成被膜層３の表面に、第３層として、耐久性及び耐候性を少なくとも備えた透明又は半透明な保護被膜層４を積層して形成する。
【００３７】
この保護被膜層４は、透明性を有する無機系塗膜を形成するものであればよいが、耐久性、耐候性が十分であり、塗膜の伸びが良く加工切断時にひび割れが発生しにくいという点からケイ素アルコキシド系コーティング材、透明セラミックなどを使用できる。
【００３８】
保護被膜層４の厚みは、１５μ〜３０μ程度で形成することができ、好ましくは、２０μの厚みで形成するのが、合成樹脂製雨樋の伸縮性に対して適している。
【００３９】
このようにすれば、ベース着色被膜層２及び柄形成被膜層３によって所望のデザインに形成された色、柄等が、保護被膜層４から透けて見え、合成樹脂製雨樋Ａの表面に深みのあるデザインを表現することができるうえ、その表面をも保護することができる。
【産業上の利用可能性】
【００４０】
本発明は、深みのある多様なデザインを選択可能な合成樹脂製雨樋として有効に利用することが可能である。
【図面の簡単な説明】
【００４１】
【図１】本発明に係る合成樹脂製雨樋Ａの一実施例が部分断面された状態の斜視図である。
【図２】図１の要部を拡大した状態の拡大断面図である。
【符号の説明】
【００４２】
Ａ    合成樹脂製雨樋
１    基材
２    ベース着色被膜層
３    柄形成被膜層
４    保護被膜層
【図１】
2005256372.tif 000003
【図２】
2005256372.tif 000004